(57)【要約】      （修正有）【課題】一般家庭、中小医院、小料理店などで使用できる、外形が小さな手乾燥機を提供する。【解決手段】モータファン３で圧縮された空気をノズル１から噴出させる方式の手乾燥機において、モータファン３を収納する円筒状容器４下面の周辺に沿って掘られた溝２の底部に円弧状のノズル１を持ち、モータファン３、その収納容器４および円弧状ノズル１の各中心軸を一致させ、円弧状ノズル１の裏側に外気吸入口５を設け、モータファン３の吸入口７付近にイオン発生器を収納した手乾燥機。【選択図】図２
2013236888.tif 000002
【特許請求の範囲】
【請求項１】
モータファンで圧縮された空気をノズルから噴出させる方式の手乾燥機において、モータファンを収納する円筒状容器下面の周辺に沿って掘られた溝の底部に円弧状のノズルを持つ手乾燥機。
【請求項２】
モータファン、その収納容器および円弧状ノズルの各中心軸を一致させた［請求項１］記載の手乾燥機。
【請求項３】
円弧状ノズルの裏側に外気吸入口を設けた［請求項１］記載の手乾燥機。
【請求項４】
モータファンの吸入口付近にイオン発生器を収納した［請求項１］記載の手乾燥機。
【発明の詳細な説明】
【技術分野】
【０００１】本発明は手の平に付着した水を、強風で除去する方式の手乾燥機に関する。
【背景技術】
【０００２】現行装置は高速で処理できるので便利であるが、一般家庭、中小医院、小料理店などで使用するには、外形が大きく、また高価である。本発明は、性能を犠牲にすることなく、これらの要求に応える構造を提案する。【０００３】
【先行技術文献】
【０００４】
【特許文献】
【特許文献】特願２００９−１８６８６７
【特許文献】意願２００９−１８１１０
【０００５】
【非特許文献】
【非特許文献】「松下エコ：ハンドドライヤ」「三菱電機：ジェットタオル」
【０００６】図４は現行の手乾燥機の内部構造を示す断面図である。外気はノズル２１の水平面以下の位置２７から吸込まれて、水分濾過フィルタ２５を通過し、ファン吸入口２６へ入り、モータファン２３で圧力を高められ、ノズル２１内部に組み込まれた約３００Ｗの加熱素子２２で暖められ、外部へ噴出される。【０００７】現行装置（図４）のモータファン２３は騒音吸収用の発泡材２４の中に中心軸が水平方向置かれている。従って、モータファン２３から噴出された風は、途中で９０度方向を変えてから、ノズル２１に到達し、下方へ噴出される。この場合、風の走行距離が大きい上に、９０度方向転換時に、風速低下、乱流発生などが起こる。すなわち、構造上無駄がある。また、水分濾過用フィルタ２５や発熱素子２２が組込まれているので、装置内部の構造は複雑であり、高価となる。【０００８】現行装置図４のノズル２１の形状は、左右方向にほぼ直線状である。この場合、脱水された水分の一部は左右に飛び散るので、水受容器の横幅を大きく取る必要があり、装置大型化の大きな原因となっている。
【発明の概要】
【発明が解決しようとする課題】
【０００９】本発明装置（図１）では、装置の幅方向および高さ方向の寸法を小さくして、装置の小型化を図っている。申請者は先に、加熱素子、フィルタを使わず、手の想定位置をノズルに接近させることが可能な手乾燥機を申請した（特願２００９−１８６８６７）。本発明には、これらの方法も採用している。
【課題を解決するための手段】
【００１０】先ず、装置の幅方向を小さくするための構造を説明する。本発明装置（図１）では、モータファン収納容器４の底部周辺に沿って円弧状のノズル溝２（図２、図３）が掘られている。この溝の外周は約１０度内側に傾斜しているが、溝の底部に形成されるノズル１も円弧状である。（図３）従って、ノズル１からから外部へ噴出された風は、底面が上部にあるような円錐表面の一部に沿って下降する（図２）。従って、脱水された水分は、左右方向へ飛び散る事はほとんどない。即ち、水受１０の幅を小さくする事ができる。【００１１】次に、装置の高さ方向を小さくするための構造を説明する。本発明装置（図１）では、モータファン３の中心軸は縦方向となるように置かれ、モータファン収納容器４の中心軸と一致している。また、この中心軸は円弧状のノズル１の中心軸とも一致する（図２）。従って、モータファン３から噴出された風は、途中で屈曲することなく、最短距離でノズル１に到達するので、装置の高さ方向の寸法を小さくする事ができる。この時、乱流や風圧の低下は発生しない。一方、現行装置（４）では、モータファン２３の中心軸は水平であるため、噴出された風は、直角に方向転換してから、ノズル２１に到達する。即ち、風の通路は屈曲しているので、無駄な空間があり、この分だけ装置の高さが大きくなる。この時、乱流などにより、風速が低下するので、電力がその分だけ多く必要になる。【００１２】現行装置（図４）では脱水面以下の空気をモータファン２３に取込むので、フィルタ２５が必要である。しかも、このフィルタが目詰まりを起こすと、ノズル２１からの風速はその分だけ低下するうえ、雑菌が繁殖しやすい。従って、フィルタの交換は度々行う必要がある。本発明装置（図１）では、外気吸入口５は円弧状のノズル１の裏側にある。一方、脱水された水分は、それより下方にあるので、水分は装置に浸入しない。即ち、水分除去用のフィルタ２５は不要である。【００１３】本発明装置（図１）では、装置内部の雑菌発生を防止するために、モータファン吸気口７付近に高電圧発生器１１およびイオン電極１２が取付られている。ここで生成されたオゾンはモータファン３内部の巻線等、雑菌繁殖の可能性のある部分を通過しながら殺菌する。このオゾンは装置外部には、ほとんど放出されない。【００１４】本発明装置（図１）では、モータファン３から噴出された風は、乱流などの発生で減速、減圧されることなく、最短距離でノズル１に到達する。この結果、ノズル１のスリット幅は、現行装置のものより、約４０％狭くて良い。本発明装置（図１）では、風量より圧力を大きくするために、大口径のターボ式回転羽根が採用されている。この場合、外部へ放出される風量はそれだけ少ないので、モータファンの損失熱を吸収して、ノズル１から放出される風の温度は約１５℃上昇する。即ち、装置内部にヒータ２２を内臓する必要は無い。【００１５】本発明装置（図１）では、ノズル１はモータファン収納容器４の前面の下部にある。カバは不要なので見通しが良く、手の平をノズル１に接近させ易く、より風速の減衰が少ない位置で脱水が行われる。一方、現行装置（図４）では、ノズル２１のスリット幅が大きい。また、手の平の見通しが悪いので、手の平の想定位置がノズルから遠くにある。この結果、水分や雑菌を含んだ大量の空気が周辺に撒き散らされ、衣服などに付着するという問題がある。【００１６】
【発明の効果】
【００１７】以上のように、本発明装置（図１）では、円弧状のノズル１の効果により、装置の横幅を小さくする事ができる。装置吸入口５は円弧状のノズル１の裏側にあるので、フィルタは不要である。また、風の通路に無駄が無いので、装置の高さを小さくできる。ノズル１の幅は小さいので、噴出風量は少なく、消費電力の小さなモータファンを採用でき、ヒータも不要であり、周辺に大量の水分を撒き散らす事はない。実際の製品の寸法は高４００（４８０）×幅１６０（２５０）×奥１７５（１８０）ｍｍである。（カッコ内は現行装置例）。
【発明を実施するための形態】
【００１８】手がノズル１下方に置かれると、センサユニット８がこれを感知して、モータファン３が始動し、ノズル１から高速の風が噴出される。手がノズル１の下部から離れるとモータファン３は停止する。脱水の手順は、先ずノズル１下方に、手の平の付根を約４５度傾けて置き、順次引上げると、手の平の水分は手先の方向へ追いやられて、水受に収納される。
【図面の簡単な説明】
【００１９】
【図１】本発明装置（外観）
【図２】本発明装置の中心軸断面図
【図３】本発明装置のノズル、および外気吸入口（下面図）
【図４】現行装置（断面図）
【符号の説明】
【００２０】（図２、図３）１ノズル、２ノズル溝、３モータファン、４モータファン収納容器、５外気吸入口、６制御回路収納部、７モータファン吸入口、８センサユニット、９ドレイン、１０水受、１１高圧発生器、１２イオン電極、（以下、図４）２１ノズル、２２発熱素子、２３モータファン、２４発泡材、２５水分濾過フィルタ、２６モータファン吸入口、２７外気吸入口
【図１】
2013236888.tif 000003
【図２】
2013236888.tif 000004
【図３】
2013236888.tif 000005
【図４】
2013236888.tif 000006